(57)【要約】【課題】クッション性や柔軟性、通気性、吸湿性を有し履き心地が良く、銅イオンを発生して白癬菌や雑菌の繁殖を抑制して水虫や臭いを軽減する丈夫で安価な靴の中敷を提供する。【解決手段】高湿度条件下において銅イオンを発生する銅又は銅合金で構成された銅イオン発生部材（３）を貫通穴（２）が設けられたクッション性、柔軟性や通気性、吸湿性を有する靴の中敷本体（１）の前記貫通穴（２）を貫通して表裏ともに露出して配設して上記課題を達成する。【選択図】図１
2015042238.tif 000002
【特許請求の範囲】
【請求項１】
高湿度条件下において銅イオンを発生する銅又は銅合金で構成された銅イオン発生部材を貫通穴を設けたクッション性、柔軟性や通気性、吸湿性を有する中敷本体の前記貫通穴を貫通して中敷本体の表裏に露出して配設したことを特徴とする靴の中敷。
【請求項２】
銅又は銅合金で構成された銅イオン発生部材が針金状のものでクッション性、柔軟性や通気性、吸湿性を有する中敷本体の貫通穴を貫通して縫い通したことを特徴とする第１項記載の靴の中敷。
【請求項３】
銅又は銅合金で構成された銅イオン発生部材がリベット、ハトメ等のカシメ部材でクッション性、柔軟性や通気性、吸湿性を有する中敷本体の貫通穴を貫通して加締めて前記貫通穴より大きな鍔を形成して取り付けられたことを特徴とする第１項記載の靴の中敷。
【請求項４】
銅又は銅合金で構成された銅イオン発生部材の頭部が太鼓状のリベット、ハトメ等でクッション性、柔軟性や通気性、吸湿性を有する中敷本体の貫通穴に頭部を上にして貫通して前記貫通穴より大きな鍔を形成して足裏のツボの近傍に取り付けられたことを特徴とする第１項及び第３項記載の靴の中敷。
【発明の詳細な説明】
【技術分野】
【０００１】本発明は、銅イオンが発生し、臭い等の原因となる雑菌や水虫の原因となる白癬菌を抑制する靴の中敷に関するものである。
【背景技術】
【０００２】従来の靴の中敷はクッション性や通気性、柔軟性や吸湿性が有る材料を使用して履き心地のよいものであった。しかし、靴の中が人の汗等で高湿度になり雑菌や白癬菌が繁殖して臭いや水虫の抑制は、出来無いものであった。しかし、このような不具合を鑑みて過去より白癬菌や雑菌の繁殖の抑制には銅イオンが有効であることに着目して銅イオンを発生させ足の臭いや水虫を抑えた靴の中敷の先行技術が提案されている。
【先行技術文献】
【特許文献】
【０００３】
【特許文献１】実願昭５４−６１００４
【特許文献２】特公平１−６１０４１
【特許文献３】実願平６−９５７４  過去に提案されている銅イオンを活用した靴の中敷は、次のような問題があった。例えば実願昭５４−６１００４は銅イオン発生する銅又は銅合金よりなる円板を靴の中敷本体に設けた突起にカシメて固定するものであった。この為、靴の中敷本体はカシメ強度や人が靴の中敷として使用する時に銅合金の円板が外れない程度の強度や剛性が必要である為、クッション性や柔軟性、吸湿性や通気性を有する材料は使用出来ず、中敷が硬くなり使用時の履き心地に難があった。また、カシメの箇所が中敷本体の足側になるので、足裏に当り違和感があったり、靴下を傷める恐れがあった。また、特公平１−６１０４１は靴の中敷本体を不織布、軟質合成樹脂シートや布、皮を用いて、その表面に亜鉛又はアルミニウムを常温溶射し固着してその上に銅を常温溶射して表面に銅イオンを発生する銅よりなる２層の金属薄膜を形成して殺菌効果のある靴の中敷を提供するものである。しかし、銅等より成る金属層を、靴の中敷の上面側に形成することや横方向に縞状に金属層を設けることが提案されているものの、この金属層の部分は通気性が損なわれて汗等が拡散しにくくなり、足と中敷の間で滑りやすくなったり不快に感じたりする。また、中敷本体にクッション性や弾力性の有る材料を使用し、その上に銅を含む金属層の薄膜で構成するため、中敷として使用する耐久性に十分耐え得るものでなかった。また、金属層を２層構造にする為、大量生産でのコストダウンの方法も提案されているものの靴の中敷としてはコストが掛かるものであった。実願平６−９５７４は靴の中敷本体に軟質合成樹脂や不織布、皮革等用い、中敷本体の両面及び上面全体に銅薄膜箔を被着巻装、あるいは粘着したものであるが、中敷本体はクッション性や吸湿性や柔軟性がある材料を用いているが、中敷の両面又は上面全体を銅薄膜箔で被着巻装あるいは粘着している為、汗等の吸収が出来ず中敷としての快適性が損なわれ、また、銅薄膜箔をクッション性や柔軟性の有る中敷本体に被着巻装又は粘着しているので銅薄膜箔が破れたり、剥がれたりして中敷としての耐久性に乏しいものであった。
【発明の概要】
【発明が解決しようとする課題】
【０００４】従来の提案されている銅イオンによる殺菌効果や防臭効果を目的とした靴の中敷は次のような問題があった。
（イ）中敷本体の全体又は表面の一部に銅及び銅合金よりなる薄膜を固着するものである為、中敷のクッション性、通気性や吸湿性、柔軟性が損なわれ、履き心地が悪くなる恐れがあった。
（ロ）銅イオンを発生する銅円板を中敷本体でカシメたり、銅薄膜箔を固着する方法であった為、外れたり、剥がれたりして耐久性に充分なものではなかった。
【課題を解決するための手段】
【０００５】上記のような課題を解決するために、本発明の靴の中敷は高湿度条件下において銅イオンを発生する銅又は銅合金で構成された銅イオン発生部材を貫通穴が設けられた吸湿性、通気性、クッション性や柔軟性や通気性、吸湿性を有する中敷本体の前記貫通穴を貫通して表裏ともに露出して配設したことを特徴としている。
【発明の効果】
【０００６】このような構成の靴の中敷では人の足の汗等による高湿度条件下において靴の中敷に配設した銅及び銅合金から構成された銅イオン発生部材より銅イオンが発生し水虫の原因となる白癬菌や臭いの原因となる黴や雑菌の繁殖を抑制し水虫や臭いの発生を効果的に抑制する靴の中敷を提供できる。また、中敷が通気性や吸湿性を有することは汗等の黴や雑菌の発生の原因となる湿気を速やかに吸湿し、履き心地の良い靴の中敷を提供すると共に靴を脱いだ時に蒸発させることが出来る。また、中敷本体がクッション性、柔軟性や通気性、吸湿性を有することは履き心地を良くする上で上で、より好適である。また、銅イオンを発生する銅又は銅合金で構成された銅イオン発生部材が中敷本体を貫通して縫い通したり貫通穴より大きな鍔を形成して取付けられているので中敷本体が、履き心地を良くする為にクッション性や柔軟性や通気性や吸湿性を有する材料であっても銅又は銅合金で構成された銅イオン発生部材が外れたり剥がれたりすることが無く、十分な耐久性を有する安価な靴の中敷を提供することが出来る。
【図面の簡単な説明】
【０００７】
【図１】第１の本発明の靴の中敷の平面図
【図２】第１の本発明の靴の中敷の要部断面図
【図３】第２の本発明の靴の中敷の平面図
【図４】第２の本発明の靴の中敷の要部断面図
【図５】第３の本発明の靴の中敷の平面図
【図６】第３の本発明の靴の中敷の要部断面図
【図７】第４の本発明の靴の中敷の平面図
【図８】第４の本発明の靴の中敷の要部断面図
【発明を実施するための形態】
【０００８】本発明の靴の中敷は銅又は銅合金で構成された銅イオン発生部材が針金状のもので靴の中敷を縫い通したことを今一つの特徴としている。靴の中敷は踏んづけたり擦れたりするので針金状のもので縫い通すことにより丈夫で壊れにくく中敷の表裏にも配設され中敷本体の表裏ともに銅イオンが発生し雑菌や白癬菌の増殖を効果的に抑制して安価に出来るので好適である。
また、本発明の靴の中敷は、銅又は銅合金で構成されたハトメやリベット状の銅イオン発生部材を靴の中敷を貫通して加締めて貫通穴より大きな鍔を形成して取付けられていることを今一つの特徴としている。通気性やクッション性、柔軟性や通気性、吸湿性のある中敷本体を貫通して加締めて貫通穴より大きな鍔を形成して銅イオン発生部材が取付けられているので、外れたり剥がれたりしにくく、表裏にも配設されているので、銅イオンが表裏にも発生することからもより好適である。
また、本発明の靴の中敷は銅又は銅合金で構成された頭部が太鼓状の形をしたリベットやハトメの銅イオン発生部材を中敷を貫通して加締めて取付けられていることを今一つの特徴としている。太鼓状のリベットの頭がクッション性のある中敷の上面に設けているので、踏むことにより適度の刺激と擦れが生じる。太鼓状のリベットの頭が擦れることにより太鼓状のリベットの頭は常に磨かれて銅イオンが発生しやすい状態が保たれる。また、頭部が太鼓状の銅イオン発生部材を足裏のツボの近傍に設けることにより歩くことで太鼓状のリベットの頭を踏むことにより適度の刺激が足裏に加わることで気持ちの良さとマッサージ効果も期待でき、より好適である。太鼓状のリベットが通気性やクッション性のある中敷本体を貫通して加締めて貫通穴より大きな鍔を形成して取付けられているので、外れたり剥がれたりし難く、中敷本体の表裏にも配設されているので、銅イオンが表裏にも発生することからもより好適である。
以上のように本発明はクッション性、柔軟性や通気性、吸湿性を有し履き心地が良く中敷本体に貫通穴を設けて銅及び銅合金で構成された針金状の銅イオン発生部材で中敷本体の貫通穴を貫通して縫い通したり、ハトメ、リベット状の銅イオン発生部材が中敷本体の貫通穴に貫通後に貫通穴より大きな鍔を形成して中敷本体の表裏に取り付けているので銅イオン発生部材が外れたり剥がれたりすることがなく丈夫であり中敷本体の表裏に銅イオンを発生して雑菌や白癬菌の繁殖を抑えて臭いや水虫を抑制する安価な靴の中敷を提供する。
【実施例】
【０００９】本発明の第１の実施例を図１及び図２に基づき説明する。クッション性、柔軟性や通気性、吸湿性を有する中敷本体（１）を貫通する貫通穴（２）に高湿度条件下で銅イオンを発生する銅又は銅合金で構成された針金状の銅イオン発生部材（３）が貫通して縫い通してしているので中敷本体（１）の表、裏共に配設されている。この為、中敷本体（１）がクッション性、柔軟性や通気性、吸湿性を有する材料であっても針金状の銅イオン発生部材が外れたり剥がれたりすること無く靴の中敷として十分な耐久性を有し、履き心地が良く、中敷本体の表、裏とも銅イオンが発生して白鮮菌や雑菌の増殖を抑制して水虫や臭いを抑制することができる。【００１０】本発明の第２の実施例を図３及び図４で説明する。クッション性や柔軟性、通気性、吸湿性を有する中敷本体（１）には貫通穴（２）が設けられている。
この貫通穴（２）に高湿度条件下において、銅イオンを発生する銅又は銅合金で構成されたハトメ状の銅イオン発生部材（３）が貫通穴（２）を貫通して貫通穴（２）より大きな鍔（４）を形成して取付けられている。この為、中敷本体（１）がクッション性、柔軟性や通気性吸湿性を有する材料であってもハトメ状の銅イオン発生部材（３）が外れたり剥がれたりすること無く靴の中敷として十分な耐久性を有し、履き心地が良く、中敷本体の表、裏とも銅イオンが発生して白鮮菌や雑菌の増殖を抑制して水虫や臭いを軽減することができる。【００１１】本発明の第３の実施例を図５及び図６で説明する。クッション性、柔軟性や通気性、吸湿性を有する中敷本体（１）には貫通穴（２）が設けられている。
この貫通穴（２）に高湿度条件下において、銅イオンを発生する銅又は銅合金で構成されたリベット状の銅イオン発生部材（３）が貫通穴（２）を貫通して貫通穴（２）より大きな鍔（４）を形成して取付けられている。この為、中敷本体（１）がクッション性、柔軟性や通気性、吸湿性を有する材料であってもリベット状の銅イオン発生部材（３）が外れたり剥がれたりすること無く靴の中敷として十分な耐久性を有し、履き心地が良く、中敷本体の表、裏とも銅イオンが発生して白鮮菌や雑菌の増殖を抑制して水虫や臭いを軽減することができる。【００１２】本発明の第４の実施例を図７及び図８で説明する。クッション性、柔軟性や通気性、吸湿性を有する中敷本体（１）には貫通穴（２）が設けられている。
この貫通穴（２）に高湿度条件下において、銅イオンを発生する銅又は銅合金で構成された頭部が太鼓状の銅イオン発生部材（３）が貫通穴（２）を貫通して貫通穴（２）より大きな銅又は銅合金より成る銅イオンを発生する円盤状の鍔（４）前記銅イオン発生部材（３）に加締めて取付けられている。
また、頭部が太鼓状の銅イオン発生部材は足裏のつぼの近傍に取り付けられている。例えば銅イオン発生部材（５）は湧泉と呼ばれるつぼの近傍にあり、銅イオン発生部材（６）は足心と呼ばれている足裏のつぼの近傍にあり、銅イオン発生部材（７）は足裏の失眠穴と呼ばれているつぼの近傍に設けられている。この為、歩く度に足裏のつぼを適度に刺激して気持ちの良さとマッサージ効果が期待でき、中敷本体（１）がクッション性や柔軟性、通気性を有する材料であってもリベット状の銅イオン発生部材（３）が外れたり剥がれたりすること無く靴の中敷として十分な耐久性を有し、履き心地が良く、中敷本体の表、裏とも銅イオンが発生して白鮮菌や雑菌の増殖を抑制して水虫や臭いを軽減することができる。尚、上記の各実施例は単独で実施してもよく、組合して実施しても良いことは特筆すべくも無い。
【産業上の利用可能性】
【００１３】本発明の銅イオン発生部材を有する靴の中敷は中敷本体にクッション性、柔軟性や通気性、吸湿性を有する材料を使用しても銅イオン発生部材が実使用において剥がれたり外れたりすることがないように中敷本体を貫通して取り付けられているので履き心地を良くすると共に雑菌や白癬菌の増殖を抑制して臭いや水虫を低減することが、出来るので低コストで履き心地が良く足の臭いや水虫を軽減することの出来る靴の中敷を提供することが出来る。
【符号の説明】
【００１４】１  中敷本体
２  貫通穴
３  銅イオン発生部材
４  銅イオン発生部材を中敷本体の貫通穴に貫通後に形成する鍔
５  足裏のツボ（湧泉）近傍の頭部が太鼓状の銅イオン発生部材
６  足裏のツボ（足心）近傍の頭部が太鼓状の銅イオン発生部材
７  足裏のツボ（失眠穴）近傍の頭部が太鼓状の銅イオン発生部材
【図１】
2015042238.tif 000003
【図２】
2015042238.tif 000004
【図３】
2015042238.tif 000005
【図４】
2015042238.tif 000006
【図５】
2015042238.tif 000007
【図６】
2015042238.tif 000008
【図７】
2015042238.tif 000009
【図８】
2015042238.tif 000010